(57)【要約】【課題】テレビジョン受像機などの各種電子機器が備える反射率が制限されたミラーとしての装飾部を、簡単かつ低コストに製作できるようにする。【解決手段】ミラー状の装飾パネル部を備えた電子機器が備える装飾パネル部として、透過率が制限された状態に着色された透明板２１と、透明板２１の裏面に鏡面インキを印刷又は塗布して形成された鏡面インキ層２２とを備えた構成として、蒸着などの工程をすることなく、反射率が制限されたミラー部を製作できるようにした。【選択図】図３
2008078925.tif 000002
【特許請求の範囲】
【請求項１】
ミラー状の装飾パネル部を備えた電子機器であって、
前記装飾パネル部として、
着色されて光の透過率が所定状態に制限された透明板と、
前記透明板の裏面に鏡面インキを印刷又は塗布して形成した鏡面インキ層とを備えたことを特徴とする
電子機器。
【請求項２】
請求項１記載の電子機器において、
さらに、前記鏡面インキ層は、シルバー色の鏡面インキで形成され、前記透明板は黒色又は灰色で着色された透明板であることを特徴とする
電子機器。
【請求項３】
請求項１記載の電子機器において、
前記透明板の光の透過率は、約２０％から約３０％の範囲内に設定したことを特徴とする
電子機器。
【請求項４】
請求項１記載の電子機器において、
さらに、前記鏡面インキ層の裏面に、黒色塗装を印刷又は塗布した黒色塗料層を備えたことを特徴とする
電子機器。
【請求項５】
請求項１記載の電子機器において、
反射率が制限されたミラーとして構成された前記装飾パネル部の背面に、発光部材及び／又は受光部材を配置したことを特徴とする
電子機器。
【請求項６】
ミラー状の装飾パネルの形成方法において、
着色されて光の透過率が所定状態に制限された透明板の裏面に、鏡面インキを印刷又は塗布した鏡面インキ層を設けて、ミラー状に構成したことを特徴とする
装飾パネルの形成方法。
【発明の詳細な説明】
【技術分野】
【０００１】
本発明は、ミラー状の装飾パネルを備えた電子機器、及びその電子機器が備える装飾パネルの形成方法に関し、特にテレビジョン受像機の映像表示画面の周囲などに配置される装飾パネルに適用して好適な電子機器及びミラー状の装飾パネルの形成方法に関する。
【背景技術】
【０００２】
従来、テレビジョン受像機の映像表示画面の周囲などに装飾パネルを配置して、その装飾パネル部に、各種パイロットランプやスイッチ類を配置することが行われている。例えば、ベズルと称される映像表示画面の周囲の一部を、デザイン的に優れた樹脂シートで装飾するような形状にして、テレビジョン受像機のデザイン性を向上させることが行われている。
【０００３】
特許文献１には、テレビジョン受像機のキャビネットに取り付けられるパネルシートの一例についての記載がある。この特許文献１に記載されたパネルシートの場合には、操作表示マーク部と、赤外線透光部と、放音部とを一体的に形成させたパネルシートを、テレビジョン受像機の前面に設ける構成として、デザイン的に優れたものとすることについての記載がある。操作表示マーク部は、操作状態を表示するマークなどを表示させるランプなどを、シートの裏面に配置して形成させるものである。赤外線透光部は、リモートコントロール装置からの赤外線信号を受信する受光部を、シートの裏面に配置するためのものである。放音部は、シートの裏面にスピーカが配置され、そのスピーカが出力する音を放音するための微小な孔を多数形成して成る。
【特許文献１】特願平９−６４５５０号公報
【発明の開示】
【発明が解決しようとする課題】
【０００４】
ところで、よりデザイン性が優れたテレビジョン受像機の装飾パネルとして、ミラー或いはハーフミラーを備えたものが開発されている。テレビジョン受像機の装飾パネルとしてミラーを備えた構成とすることで、そのミラー部は、表面側から見た場合に、テレビジョン受像機の周囲を反射して映すミラーとして機能し、格調の高い装飾パネルとなる。また、ミラー部の内部に、各種パイロットランプや赤外線信号受光部を配置することで、これらの裏面側のパイロットランプや赤外線信号受光部がミラー部で隠されることになり、良好な配置が可能となる。
【０００５】
また、反射を完全な状態では行わない反射率が制限されたミラーとして構成させることで、よりデザイン性を高めることもできる。反射率が制限されたミラーの場合には、例えば、ミラーの色を灰色や黒色などとして、反射率を抑えるようにしてある。反射率を抑えたダーク調のミラーとしてあることで、表面側から見ると、ハーフミラーのように見え、ミラーとしての鏡面状の質感を得た上で、ミラー部で反射して見える周囲の景色であまり煩くなることがなく、装飾パネルとして、より格調の高いものが得られる。
【０００６】
ところが、このようなダーク調などのミラーを構成させるためには、装飾パネルとして、アクリル板などの透明の樹脂板に蒸着でアルミ粒子などを密着させて、ミラーとして構成させる必要があった。このような金属粒子の蒸着工程は、装飾パネルの製造工程としてはかなり手間がかかり、装飾パネルが高価なものになってしまう問題があった。さらに、完全なミラーではなく、反射率が制限されたミラーとするためには、ある程度、反射率を落とす処理が必要であり、ミラーを製作するよりもよりさらに手間がかかり、より高価になってしまうという問題があった。
【０００７】
特に、テレビジョン受像機の前面パネルの一部として、この種のミラーを使用した場合には、従来の樹脂成形による前面パネルに比べて、比較的製造に手間を要する蒸着工程が必要であり、テレビジョン受像機の前面パネルとしては非常に高価なものになってしまうという問題があった。
【０００８】
図４は、従来の樹脂板に構成させたミラーの構成の一例を示した図である。ほぼ透明なアクリル板１を用意する。そして、そのアクリル板１の片面に、アルミ粒子などを蒸着させた金属蒸着層２を形成させる。さらに、その金属蒸着層２の裏面に、保護層３を塗装などで形成させる。この図４に示すように金属蒸着層２が形成された面を、裏面側として、アクリル板１の表面側に入射した光を反射させるミラーとして構成させる。反射率が制限されたミラーの場合も、基本的な構成は同じである。この図４に示した構成とするために、金属蒸着層２を形成させるための蒸着作業が必要になってしまう。
【０００９】
なお、ここまでの説明では、テレビジョン受像機の前面パネルに適用した場合の問題について説明したが、このような問題はテレビジョン受像機に限った問題ではなく、その他の映像機器やオーディオ機器などの各種電子機器において、パネル部が同様なミラーを備えた構成とした場合に、同様の問題点がある。
【００１０】
本発明はかかる点に鑑みてなされたものであり、テレビジョン受像機などの各種電子機器が備えるミラーとしての装飾部を、簡単かつ低コストに製作できるようにすることを目的とする。
【課題を解決するための手段】
【００１１】
本発明の電子機器は、電子機器が供える装飾パネル部として、着色されて光の透過率が所定状態に制限された透明板と、透明板の裏面に鏡面インキを印刷又は塗布して形成された鏡面インキ層とを備えた構成として、装飾パネル部が、反射率が制限されたミラーとして機能するようにしたものである。
【００１２】
また本発明の装飾パネルの形成方法は、着色されて光の透過率が制限された透明板の裏面に、鏡面インキを印刷又は塗布した鏡面インキ層を設けて、表面から入射した光の反射率が所定以下に制限されたミラーを形成させるようにしたものである。
【００１３】
このようにしたことで、着色されて光の透過率が所定状態に制限された透明板を用意して、その透明板に鏡面インキを印刷又は塗布することで、蒸着でミラーを構成した場合とほぼ同等の反射状態のミラーが構成できるようになる。反射率が制限されたミラーとしての特性は、透明板の光の透過率と、鏡面インキの特性や色などにより決まる。
【発明の効果】
【００１４】
本発明によると、鏡面インキの印刷又は塗布でミラーが構成できるようになり、蒸着工程を必要としない、鏡面インキの印刷や塗布などによる比較的簡単な工程で、ミラー部を製作できるようになる。従って、それだけ、反射率が制限されたミラー部を有する装飾パネルの製造コストを低減させることが可能となり、ひいては、この種の装飾パネルを備えたテレビジョン受像機などの電子機器の製造コストの低減につながる。
【発明を実施するための最良の形態】
【００１５】
以下、本発明の一実施の形態を、図１〜図３を参照して説明する。
【００１６】
本実施の形態の例においては、電子機器であるテレビジョン受像機の前面パネル部に配置された装飾パネルに適用した例としてある。
図１は、テレビジョン受像機の構成例を示した斜視図である。ここでのテレビジョン受像機１０は、液晶画像表示パネルやプラズマ画像表示パネルなどを使用した、フラットディスプレイとして構成してあり、画面サイズも例えば３０インチや４０インチなどの比較的大型のものを想定している。
【００１７】
テレビジョン受像機１０の前面中央に配置されたフラットディスプレイの映像表示画面１１の周囲には、画面枠部１２が４辺を囲うように配置してある。画面枠部１２は、合成樹脂で一体に形成させてある。
画面枠部１２の下部には、スピーカ前面装飾部１３が配置してある。本例のスピーカ前面装飾部１３は、横長の細長い形状としてあり、映像表示画面１１の横幅とほぼ同じ長さで配置してある。スピーカ前面装飾部１３については、微小な透孔が形成された樹脂シートや、繊維シートなどを配置して、そのスピーカ前面装飾部１３の後方に配置されたスピーカユニット（図示せず）から放音される音を、外部に出力させることができる構成としてある。
【００１８】
そして、本例のテレビジョン受像機１０のスピーカ前面装飾部１３の下部には、フロントパネル（前面パネル）２０が配置してある。フロントパネル２０は、後述するように表面側から見て反射率が制限されたミラーとして構成させてある。本例のフロントパネル２０は、スピーカ前面装飾部１３と同様に、横長の細長い形状としてあり、映像表示画面１１の横幅とほぼ同じ長さで配置してある。フロントパネル２０の下側と左右の端部には、画面枠部１２の一部である外周枠１４が形成してあり、フロントパネル２０の端面が外部に露出しない構成としてある。
【００１９】
これらスピーカ前面装飾部１３とフロントパネル２０が配置された画面枠部１２は、後部カバー１５に取り付けられて、一体に組み立てられる構成としてある。テレビジョン受像機１０を図示しないテレビ台などに載せて設置する際には、図１に示すように、下部に脚部１６を取り付ける構成とする。壁面に取り付ける際には、脚部１６は取り付ける必要はない。
【００２０】
ハーフミラーとして構成させたフロントパネル２０には、リモートコントロール装置からのリモートコントロール信号（赤外線信号）を受光するための赤外線受光窓部２０ａを設けてある。また、機器状態を点灯で示す電源表示部２０ｂと、スタンバイ表示部２０ｃとが用意してある。
【００２１】
図２は、フロントパネル２０を構成するミラー部品単体で示した図である。図２に示すように、フロントパネル２０は細長い板状に構成させてあり、図１に示すようにテレビジョン受像機１０の画面枠部１２に取り付けられた状態で、表面から見て、その表面の周囲を反射率が制限された状態で反射させるミラーとして機能するようにしてある。そのために、裏面側に後述する鏡面インキ層２２などを形成させてある。但し、反射率が制限された状態のミラーであるので、完全なミラーの場合に比べて所定の反射率に制限させてあり、黒色などのダーク調のミラーとして構成される。反射率が制限されたミラーは、表面側から見ると、いわゆるハーフミラーのように見える。
【００２２】
また、図２に示すように、フロントパネル２０に構成された赤外線受光窓部２０ａの背面には、リモートコントロール信号を受光する受光器３１が配置してある。受光器３１で受光した赤外線信号は、電気信号に変換されて、テレビジョン受像機１０の図示しない制御部に送られて、その受光したリモートコントロール信号に対応した制御処理が実行される。赤外線受光窓部２０ａについては、後述する印刷部において、赤外線を効率良く透過させる構成としている。
【００２３】
また、図２に示すように、フロントパネル２０に構成された電源表示部２０ｂとスタンバイ表示部２０ｃの背面には、それぞれの表示を行う発光ダイオード３２及び３３が配置してある。電源表示部２０ｂの背面に配置された発光ダイオード３２については、例えば緑色に発光させる発光ダイオードとしてあり、テレビジョン受像機１０の電源を投入させた際に点灯させる構成としてある。スタンバイ表示部２０ｃの背面に配置された発光ダイオード３３については、例えば赤色に発光させる発光ダイオードとしてあり、テレビジョン受像機１０の電源状態がスタンバイ状態の際に点灯させる構成としてある。これらの点灯は、テレビジョン受像機１０の図示しない制御部の制御で行われる。電源表示部２０ｂとスタンバイ表示部２０ｃについては、後述する印刷部において、発光ダイオード３２，３３からの光を効率良く外部に透過させる構成としている。
【００２４】
次に、テレビジョン受像機１０のフロントパネル２０の構成について説明する。図３は、フロントパネル２０の構成を分解して示す図である。反射率が制限されたミラーとして構成されるフロントパネル２０は、アクリル樹脂上に各層を形成して構成してある。即ち、図３に示すように、所定厚さ（例えば数ｍｍ程度の厚さ）で、黒色又は灰色で着色され所定の透過率を有する透明なアクリル板（いわゆるスモークアクリル板）２１を用意する。
【００２５】
そのスモークアクリル板２１の裏面には、鏡面インキ層２２を形成させる。鏡面インキ層２２の詳細については後述する。そして、さらに鏡面インキ層２２の裏面側に、黒塗料層２３を形成させる。
【００２６】
スモークアクリル板２１の裏面に形成させる鏡面インキ層２２については、鏡面インキを印刷又は塗布して形成させる構成としてある。鏡面インキは、例えば、特殊アルミ粉と樹脂を混合させて、光を反射させる色となるように形成させたインキであり、透明な板の裏面に印刷又は塗布することで、入射光をほぼ完全に反射させるミラーが構成される。ここでは、鏡面インキとしてシルバー色（銀色）のものを使用してあり、鏡面インキによる鏡面インキ層２２については、平滑に印刷層を形成させる必要がある。
【００２７】
ここで本例の場合には、光の透過率が制限されたスモークアクリル板２１の裏面に、シルバー色の鏡面インキを使用した鏡面インキ層２２を形成させてあることで、反射率が制限されたミラーとして形成される。
【００２８】
ここで、図３に示す構成で、反射率が制限されたミラーとして構成させるための具体的な例について説明する。鏡面インキを使用して、反射率が制限されたミラーとして構成させるためには、スモークアクリル板２１の光の透過率が重要であることが、本発明者らによる実験で確かめられた。
具体的には、黒色のスモークアクリル板として、光の透過率が２１％のものを使用し、その透過率が２１％のスモークアクリル板の裏面に鏡面インキを印刷したものが、反射率が制限されたミラーとして最も好ましいものになった。ここで反射率が制限されたミラーとして好ましい状態とは、テレビジョン受像機の前面パネルが備えるミラーとして、ちょうど良い程度の色調（即ちある程度黒色の色調）で、入射した光の反射状態についても、映像表示画面１１（図１）に表示される映像を邪魔しない程度に反射率が低く抑えられた状態である。
【００２９】
その他の透過率のスモークアクリル板を使用した例としては、例えば、透過率２７．４％のスモークアクリル板を使用した場合には、光の透過率が２１％のものよりも若干明るい色調になるが、反射率が制限されたダーク調のミラーとして使用可能である。
透過率１９．５％のスモークアクリル板を使用した場合には、光の透過率がミラーとして若干色が濃くなり過ぎた状態であったが、反射率が制限されたミラーとして使用できない程度ではない。
透過率５２％のスモークアクリル板を使用した場合には、光の透過率が高すぎ、鏡面インキのシルバー色が表面から見えて、色調が完全なシルバー色のミラーとほとんど変わりがない状態である。
【００３０】
これらの例から判るように、光の透過率が約２０％から約３０％の黒色（又は灰色などの黒に近い色）のスモークアクリル板に、シルバー色の鏡面インキを印刷又は塗布することで、テレビジョン受像機の前面パネルが備える反射率が制限されたダーク調のミラーとして、程よい程度の色調のミラーが得られることが判る。
【００３１】
以上説明したように、本実施の形態によるテレビジョン受像機が備えた装飾パネルとしての前面パネルは、印刷による簡単な工程で、反射率が制限されたミラーとして機能するようになり、従来、蒸着工程を必要としていたものと性能としてはほぼ同等で、安価に製造できるようになる。
【００３２】
なお、上述した実施の形態で説明した鏡面インキの例は一例を示したものであり、印刷或いは塗装により鏡面状に形成される塗料であれば、上述した例以外の塗料を塗布又は印刷するようにして、形成させるようにしてもよい。具体的には、アルミ粒子などの反射材量と、樹脂材料とが混入されて、塗布面が反射作用を有する塗料であれば、その他の塗料を使用するようにしてもよい。
【００３３】
また、上述した実施の形態では、黒色に着色させた透明のアクリル板に鏡面インキを印刷又は塗布で形成させる構成としたが、アクリル板以外の樹脂材料で成型された樹脂板に、黒色に着色させる等して光の透過率を制限させたものを使用してもよい。或いは、樹脂板ではなく、黒色などに着色させて光の透過率を制限させたガラス板を使用してもよい。
【００３４】
また、上述した実施の形態では、反射率が制限されたミラーとして構成されたフロントパネルに、赤外線受光窓部と電源表示部とスタンバイ表示部とを配置したが、操作ボタンなどのその他の部材を配置する構成としてもよい。表示部についても、その他の表示を行う構成としてもよい。表示部についても、パイロットランプに相当する発光ダイオードを配置する構成の代わりに、ＥＬ（electro-luminescence）表示素子などの、文字、数字、図形などのより高度な表示が可能な表示手段を反射率が制限されたミラーの背面に配置して、文字や数字などが表示される構成としてもよい。
或いは、これらの表示部や受光窓部を配置しない、ミラーとしての機能だけを備えたフロントパネルとして構成してもよい。
【００３５】
また、上述した実施の形態では、テレビジョン受像機の前面パネルとしての装飾パネル部に適用した例について説明したが、その他の映像機器やオーディオ機器などの各種電子機器が備える装飾パネルの一部又は全部を、反射率が制限されたミラーとして構成させる場合にも適用可能であることは勿論である。
【００３６】
テレビジョン受像機の前面パネルとして構成させる場合でも、図１の例では、前面パネルの下部に、反射率が制限されたミラー構成の装飾パネルを配置した例としたが、その他の箇所にハーフミラーを配置する構成としてもよい。例えば、テレビジョン受像機の表示画面の周囲４辺を、全てミラー部で覆う構成として、その場合のミラー部を、上述した実施の形態で説明した工程で製作させた反射率が制限されたミラーとして構成させるようにしてもよい。このように装飾パネルとしてのミラー部の面積が増えるに従って、図４に示した従来構造で製作する場合に比べて、より製造コスト低減の効果が高くなるものである。
【００３７】
また、図１に示した構成のフラットディスプレイを使用したテレビジョン受像機以外の各種方式のテレビジョン受像機に適用してもよい。例えば、ＣＲＴ（Cathode Ray Tube）を映像表示手段として使用したテレビジョン受像機の前面パネル部の装飾パネルに適用してもよい。或いは、リアプロジェクタ装置として構成されたテレビジョン受像機の、前面部に配置されたスクリーンの周囲の前面パネル部の一部又は全部を、上述した実施の形態で説明したミラーとして構成してもよい。
【図面の簡単な説明】
【００３８】
【図１】本発明の一実施の形態を適用したテレビジョン受像機の一例を示した斜視図である。
【図２】本発明の一実施の形態によるフロントパネルとその周辺の配置例を分解して示す斜視図である。
【図３】本発明の一実施の形態によるハーフミラー部の断面構成の例を示す説明図である。
【図４】従来のミラーの構造の一例を示す説明図である。
【符号の説明】
【００３９】
１…アクリル板、２…金属蒸着層、３…保護層、１０…テレビジョン受像機、１１…映像表示画面、１２…画面枠部、１３…スピーカ前面装飾部、１４…外周枠、１５…後部カバー、１６…脚部、２０…フロントパネル、２０ａ…赤外線受光窓部、２０ｂ…電源表示部、２０ｃ…スタンバイ表示部、２１…スモークアクリル板、２２…鏡面インキ層、２３…黒塗料層、３１…受光器、３２，３３…発光ダイオード
【図１】
2008078925.tif 000003
【図２】
2008078925.tif 000004
【図３】
2008078925.tif 000005
【図４】
2008078925.tif 000006